(57)【要約】【課題】蓄電部の異常検出に支障がある周辺装置の異常を診断し得る異常診断装置を提供する。【解決手段】異常診断装置１は、状態切替回路９（第２動作部）と検出部と診断部とを備える。検出部は、所定の信号線の電位を反映した値を検出する。状態切替回路９は、切替部５に第２の切替動作（信号線の電位を第２の設定状態とする切替動作）を強制的に行わせ、診断部は状態切替回路９が切替部５に第２の切替動作を行わせているときの検出部による検出結果に基づいてキャパシタ９０（蓄電部）の周辺装置の異常を診断する。【選択図】図１
2017184425.tif 000002
【特許請求の範囲】
【請求項１】
１又は複数の信号線の電位を第１の設定状態とする第１の切替動作と、前記第１の設定状態から変化した第２の設定状態とする第２の切替動作とを行う切替部と、
１又は複数の前記信号線を介して前記切替部に接続され、前記信号線の電位を反映した値を検出する検出部と、
蓄電部に所定の異常が発生していないときに前記切替部に対して前記第１の切替動作の指示を与え、前記蓄電部に前記所定の異常が発生したときに前記切替部に対して前記第２の切替動作の指示を与える第１動作部と、
前記切替部に前記第２の切替動作を強制的に行わせる第２動作部と、
前記第２動作部が前記切替部に前記第２の切替動作を行わせているときの前記検出部による検出結果に基づいて前記蓄電部の周辺装置の異常を診断する診断部と、
を含む異常診断装置。
【請求項２】
前記蓄電部の温度に応じて抵抗値が変化する抵抗部を備え、
複数の前記信号線は、前記抵抗部の一端に接続された第１信号線と前記抵抗部の他端に接続された第２信号線とを有し、
前記切替部は、前記第１の切替動作により前記抵抗部の両端の電位を前記第１の設定状態に切り替え、前記第２の切替動作により前記抵抗部の両端の電位を前記第２の設定状態に切り替える構成であり、
前記検出部は、少なくとも前記第１信号線及び前記第２信号線の電位を反映した値を検出する構成であり、
前記診断部は、前記第２動作部の指示に応じて前記切替部が前記第２の切替動作を行っているときに前記検出部によって検出される前記第１信号線及び前記第２信号線の電位を反映した値に基づいて前記蓄電部の周辺装置の異常を診断する構成である請求項１に記載の異常診断装置。
【請求項３】
前記切替部は、前記抵抗部と並列に接続された並列導電路と、前記第１の切替動作として前記並列導電路の導通を遮断するオフ動作を行い前記第２の切替動作として前記並列導電路を導通させるオン動作を行うスイッチとを備える請求項２に記載の異常診断装置。
【請求項４】
前記診断部は、前記第２動作部の指示に応じて前記切替部が前記第２の切替動作を行っているときの前記抵抗部の両端の電位差が所定の閾値を超える場合に前記第１動作部の異常と診断する請求項３に記載の異常診断装置。
【請求項５】
前記診断部は、前記第２動作部の指示に応じて前記切替部が前記第２の切替動作を行っているときの前記抵抗部の両端の電位差が所定値以下であり且つ前記抵抗部の少なくとも一端の電位が所定の正常範囲を外れる場合に前記第１動作部以外の部分の異常と診断する請求項３又は請求項４に記載の異常診断装置。
【発明の詳細な説明】
【技術分野】
【０００１】
本発明は、異常診断装置に関するものであり、特に蓄電部の周辺装置の異常を診断する異常診断装置に関する。
【背景技術】
【０００２】
車両に搭載される蓄電部は、温度異常や電圧異常が生じるリスクがあるため、これらの異常に対する対策が求められる。例えば、特許文献１の異常検出装置は、蓄電部の温度状態を検出するためのサーミスタを備えており、コントローラは、サーミスタの両端電圧を検出することで蓄電部の温度状態を監視している。また、この異常検出装置は、キャパシタセルの過電圧を検出するための過電圧検出回路を備えており、過電圧検出回路がキャパシタセルの過電圧を検出したときにサーミスタの両端を強制的に短絡させることで、サーミスタの両端電位を同電位に切り替え、コントローラに過電圧の発生を通知している。
【先行技術文献】
【特許文献】
【０００３】
【特許文献１】特開２０１５−１５７９９号公報
【発明の概要】
【発明が解決しようとする課題】
【０００４】
しかし、特許文献１の技術だけでは、蓄電部の周辺装置（過電圧検出回路やその他の周辺回路など）が正常に動作しないような異常が発生している場合に蓄電部の異常検出を行うことができないという問題がある。例えば、過電圧検出回路にオープン状態の異常（オープン故障）が発生している場合、キャパシタセルに過電圧が発生しても過電圧検出回路が正常に動作せず、サーミスタを短絡させることができないため、コントローラは過電圧の発生を検出することができない。このように蓄電部の周辺回路に生じている異常を放置しておくと、蓄電部そのものに異常が発生しても何ら対処されることなく使用され続けてしまい、その結果、蓄電部の劣化や破壊を招く虞がある。
【０００５】
本発明は上述した事情に基づいてなされ、蓄電部の異常検出に支障がある周辺装置の異常を診断し得る異常診断装置を提供することを目的とする。
【課題を解決するための手段】
【０００６】
本発明の異常診断装置は、
１又は複数の信号線の電位を第１の設定状態とする第１の切替動作と、前記第１の設定状態から変化した第２の設定状態とする第２の切替動作とを行う切替部と、
１又は複数の前記信号線を介して前記切替部に接続され、前記信号線の電位を反映した値を検出する検出部と、
蓄電部に所定の異常が発生していないときに前記切替部に対して前記第１の切替動作の指示を与え、前記蓄電部に前記所定の異常が発生したときに前記切替部に対して前記第２の切替動作の指示を与える第１動作部と、
前記切替部に前記第２の切替動作を強制的に行わせる第２動作部と、
前記第２動作部が前記切替部に前記第２の切替動作を行わせているときの前記検出部による検出結果に基づいて前記蓄電部の周辺装置の異常を診断する診断部と、
を含む。
【発明の効果】
【０００７】
本発明の異常診断装置は、蓄電部に所定の異常が発生していないときに第１動作部が切替部に対して第１の切替動作の指示を与えるため、このときには１又は複数の信号線の電位は第１の設定状態となる。一方、蓄電部に所定の異常が発生したときには、第１動作部が切替部に対して第２の切替動作の指示を与えるため、このときには１又は複数の信号線の電位は第２の設定状態となる。そして、検出部が１又は複数の信号線の電位を反映した値を検出するため、検出部の検出結果を利用すれば蓄電部に異常が発生しているか否かを判定できるようになる。
【０００８】
そして、このような構成を前提とし、更に、第２動作部と診断部とが設けられている。第２動作部は切替部に第２の切替動作を強制的に行わせ、診断部は第２動作部が切替部に第２の切替動作を行わせているときの検出部による検出結果に基づいて蓄電部の周辺装置の異常を診断する。第２動作部が切替部に第２の切替動作を強制的に行わせた場合、回路が正常に動作すれば、検出部には第２の設定状態に対応する値が入力されるはずである。よって、第２動作部が切替部に第２の切替動作を強制的に行わせているときの検出部の検出結果を利用し、診断部によって異常診断を行えば、蓄電部の周辺装置に異常が発生しているか否か（即ち、蓄電部の異常検出に支障がある異常が発生しているか否か）をより正確に診断することができる。
【図面の簡単な説明】
【０００９】
【図１】実施例１の異常診断装置を概略的に示す回路図である。
【図２】実施例１の異常診断装置で実行される異常診断処理の流れを示すフローチャートである。
【図３】異常診断装置が各状態となっているときの各フェースでの検出電位を例示する説明図である。
【発明を実施するための形態】
【００１０】
以下、本発明の望ましい例を示す。
本発明の異常診断装置は、蓄電部の温度に応じて抵抗値が変化する抵抗部を備えていてもよい。複数の信号線は、抵抗部の一端に接続された第１信号線と抵抗部の他端に接続された第２信号線とを有していてもよい。切替部は、第１の切替動作により抵抗部の両端の電位を第１の設定状態に切り替え、第２の切替動作により抵抗部の両端の電位を第２の設定状態に切り替える構成であってもよい。検出部は、少なくとも第１信号線及び第２信号線の電位を反映した値を検出する構成であってもよい。診断部は、第２動作部の指示に応じて切替部が第２の切替動作を行っているときに検出部によって検出される第１信号線及び第２信号線の電位を反映した値に基づいて蓄電部の周辺装置の異常を診断する構成であってもよい。
【００１１】
この構成によれば、検出部の検出結果に基づいて蓄電部の温度を把握することができ、且つ、蓄電部の温度検出に用いる信号線を利用して蓄電部の異常を伝達することができるようになる。よって、蓄電部の異常を検出し得る装置をより簡易な構成で実現することができる。そして、このような構成において蓄電部の異常検出に支障がある周辺装置の異常が発生しているか否かをより正確に診断することができる。
【００１２】
本発明の異常診断装置において、切替部は、抵抗部と並列に接続された並列導電路と、第１の切替動作として並列導電路の導通を遮断するオフ動作を行い第２の切替動作として並列導電路を導通させるオン動作を行うスイッチとを備えていてもよい。
【００１３】
この構成によれば、蓄電部の温度検出に用いる信号線を利用して蓄電部の異常を伝達する回路をより簡易に実現することができる。
【００１４】
本発明の異常診断装置において、診断部は、第２動作部の指示に応じて切替部が第２の切替動作を行っているときの抵抗部の両端の電位差が所定の閾値を超える場合に第１動作部の異常と診断する構成であってもよい。
【００１５】
第２動作部の指示に応じて切替部が第２の切替動作を行っているときには、回路が正常であれば並列導電路が導通するため、抵抗部の両端の電位差は小さくなるはずである。よって、このときの抵抗部の両端の電位差が所定の閾値を超える場合に第１動作部の異常と診断すれば、第１動作部の異常をより正確に検出することができる。
【００１６】
本発明の異常診断装置において、診断部は、第２動作部の指示に応じて切替部が第２の切替動作を行っているときの抵抗部の両端の電位差が所定値以下であり且つ抵抗部の少なくとも一端の電位が所定の正常範囲を外れる場合に第１動作部以外の部分の異常と診断する構成であってもよい。
【００１７】
第２動作部の指示に応じて切替部が第２の切替動作を行っているときには、回路が正常であれば並列導電路が導通するため、抵抗部の両端の電位差は小さくなるはずである。よって、このときの抵抗部の両端の電位差が所定値以下である場合、切替部が正常に動作して並列導電路が導通している可能性が高い。このようなときに抵抗部の少なくとも一端の電位が所定の正常範囲を外れる場合、その検出の異常は切替部に指示を与える部分（第１動作部）に起因する可能性は低く、第１動作部以外の部分によって生じている可能性が高い。よって、このような場合に第１動作部以外の部分の異常と診断すれば、異常部分をより適切に絞り込むことができる。
【００１８】
＜実施例１＞
以下、本発明を具体化した実施例１について説明する。
図１で示す異常診断装置１は、蓄電部の一例であるキャパシタ９０の異常を検出する装置として構成されている。図１で示す異常診断装置１は、キャパシタモジュール８０の一部と充放電コントローラ４とによって構成されている。キャパシタモジュール８０の端子Ｐ１１、Ｐ１２が充放電コントローラ４の端子Ｐ２１、Ｐ２２にそれぞれ接続されている状態では、信号線１１Ａと信号線１１Ｂとが接続されて第１信号線１１が構成され、信号線１２Ａと信号線１２Ｂとが接続されて第２信号線１２が構成される。
【００１９】
異常検出対象となるキャパシタ９０は、蓄電部の一例に相当し、電気二重層コンデンサ、電解コンデンサ、リチウムイオンキャパシタなどである。このキャパシタ９０は、例えば複数のキャパシタセルが直列に接続された構成をなし、後述する過電圧検出部７、サーミスタＲｔｈ、切替部５とともにキャパシタモジュール８０を構成している。
【００２０】
過電圧検出部７は、キャパシタ９０に所定の異常が発生していないときに切替部５に対して第１の切替動作の指示を与え、キャパシタ９０に所定の異常が発生したときに切替部５に対して第２の切替動作の指示を与える過電圧検出回路として構成されている。過電圧検出部７は、キャパシタ９０（蓄電部）の周辺装置の一例に相当する。具体的には、キャパシタ９０の所定部位の電圧と予め定められた閾値電圧とを比較する比較回路を備え、キャパシタ９０の所定部位の電圧が閾値電圧よりも大きくなる過電圧状態が発生している場合に、スイッチＴｒ１をオン状態（導通状態）に切り替えるためのオン信号（例えばＨレベル信号）を出力し、キャパシタ９０の所定部位に過電圧が発生していない場合にスイッチＴｒ１をオフ状態（非導通状態）に切り替えるためのオフ信号（例えばＬレベル信号）を出力する。
【００２１】
サーミスタＲｔｈは、キャパシタ９０（蓄電部）の温度に応じて抵抗値が変化する抵抗部の一例に相当し、温度の上昇に応じて、抵抗値が増大傾向または低下傾向に変化する特性を有している。サーミスタＲｔｈの両端には、複数の信号線として、サーミスタＲｔｈの一端に接続される第１信号線１１とサーミスタＲｔｈの他端に接続される第２信号線１２とが接続されている。サーミスタＲｔｈの両端の電位が第１信号線１１及び第２信号線１２の各電位となり、これらの電位を示す各値は、制御回路３の入力ポートＡＤ１，ＡＤ２にそれぞれ入力される。第１信号線１１及び第２信号線１２の各電位の値は、信号線の電位を反映した値の一例に相当する。
【００２２】
切替部５は、第１信号線１１及び第２信号線１２の電位を第１の設定状態とする第１の切替動作と、第１の設定状態から変化した第２の設定状態とする第２の切替動作とを行う機能を有する。切替部５は、サーミスタＲｔｈ（抵抗部）と並列に接続された並列導電路１４と、並列導電路１４に介在するスイッチＴｒ１とを備える。スイッチＴｒ１は、第１の切替動作として並列導電路１４の導通を遮断するオフ動作を行い第２の切替動作として並列導電路を導通させるオン動作を行う機能を有する。切替部５は、スイッチＴｒ１をオフ状態とする第１の切替動作によりサーミスタＲｔｈの両端の電位を第１の設定状態に切り替え、第２の切替動作によりサーミスタＲｔｈの両端の電位を第２の設定状態に切り替える。第１の設定状態は、サーミスタＲｔｈの両端の電位差が所定の電位差閾値よりも大きい状態であり、第２の設定状態は、サーミスタＲｔｈの両端の電位差が所定の電位差閾値以下となる状態である。図１の例では、第２の設定状態のときにサーミスタＲｔｈの両端の電位がほぼ同電位となる。
【００２３】
状態切替回路９は、第２動作部の一例に相当し、切替部５に第２の切替動作を強制的に行わせる機能を有する。この状態切替回路９は、抵抗Ｒ１，Ｒ２，Ｒ３，Ｒ４、スイッチＳＷ１，ＳＷ２，ＳＷ３などを備えており、制御回路３の制御に応じて動作する構成をなす。状態切替回路９は、過電圧検出部７からオフ信号（スイッチＴｒ１をオフ状態にする指示）が出力されているときでも、スイッチＴｒ１を強制的にオン状態に切り替える機能を有する。スイッチＳＷ１，ＳＷ２，ＳＷ３は例えばＭＯＳＦＥＴやバイポーラトランジスタなどの半導体スイッチとして構成されている。この状態切替回路９は、キャパシタ９０（蓄電部）の周辺装置の一例に相当する。
【００２４】
制御回路３は、例えばマイクロコンピュータとして構成されており、ＣＰＵ、メモリ、ＡＤ変換器などを有する。制御回路３は、キャパシタ９０の充電および放電を行い得る図示しないＤＣ−ＤＣコンバータに接続されており、このＤＣ−ＤＣコンバータの動作を制御してキャパシタ９０の充電および放電を制御し得る。
【００２５】
制御回路３は、検出部としても機能し、第１信号線１１及び第２信号線１２の各電位を入力する入力ポートＡＤ１、ＡＤ２を備え、第１信号線１１及び第２信号線１２の各電位を反映した値を検出する。つまり、入力ポートＡＤ１、ＡＤ２に入力される各値により第１信号線１１及び第２信号線１２の各電位が特定できるようになっている。そして制御回路３は、入力ポートＡＤ１、ＡＤ２に入力される各値と、サーミスタＲｔｈの特性に基づき、サーミスタＲｔｈの温度（キャパシタ９０の温度）を検出し得る。
【００２６】
制御回路３は、診断部としても機能し、状態切替回路９の指示に応じて切替部５が第２の切替動作を行っているときに検出される入力ポートＡＤ１、ＡＤ２の各入力値（第１信号線１１及び第２信号線１２の電位を反映した値）に基づいてキャパシタ９０の周辺装置の異常を診断する。
【００２７】
次に、図２等を参照し、異常診断処理について説明する。
図２で示す異常診断処理は、例えば、車両のイグニッションスイッチがオン状態となった時（即ち車両の始動時）、又は車両のイグニッションスイッチがオフ状態になった時（即ち車両の停止動作時）に制御回路３によって実行される。なお、以下では、抵抗Ｒ１が５．１ｋΩ、抵抗Ｒ２が１ｋΩ、抵抗Ｒ３が１００Ω、抵抗Ｒ４が１ｋΩであり、抵抗Ｒ１、Ｒ２への電源電圧が所定電圧（例えば、５Ｖ程度）である場合を例に挙げて説明する。なお、図３では、異常診断装置１の状態が各状態にある場合において、後述する通常時、フェーズ１、フェーズ２、フェーズ３のときに入力ポートＡＤ１，ＡＤ２にどのような電位が入力されるかを示している。図３では、例えば、Ｖ１２＜Ｖ０１＜Ｖ１１＜Ｖ３＜Ｖ２である。また、図３においてＡ，Ｂ，Ｃ，Ｄ，Ｅは、例えば、１Ｖ未満の正の数である。通常時、フェーズ１、フェーズ２、フェーズ３でのＡＤ１、ＡＤ２の全て組み合わせは、通常状態、過電圧検出回路故障状態、スイッチＳＷ１ショート故障状態、スイッチＳＷ２オープン故障状態、スイッチＳ２オープン故障状態のそれぞれにおいて異なっている。
【００２８】
異常診断装置１では、イグニッションスイッチがオン状態となった時に通常状態としてスイッチＳＷ１をオン状態、スイッチＳＷ２をオフ状態、スイッチＳＷ３をオフ状態に設定する。そして、図２で示す異常診断処理の開始に伴い、制御回路３は、スイッチＳＷ２をオン状態に切り替えて、スイッチＳＷ１をオン状態、スイッチＳＷ２をオン状態、スイッチＳＷ３をオフ状態に設定する。この設定時をフェーズ１としたとき、フェーズ１において第２信号線１２から入力される入力ポートＡＤ２の電位が０Ｖ程度であるかを判断する（Ｓ１）。具体的には、入力ポートＡＤ２の電位が０よりも僅かに大きい第１閾値以下であるかを判断し、入力ポートＡＤ２の電位が第１閾値以下であればＳ１にてＹｅｓに進み、充放電コントローラ４の故障と診断する（Ｓ２）。このＳ２では、具体的にはスイッチＳＷ２のオープン故障であると診断する。スイッチＳＷ２のオープン故障は、キャパシタ９０の周辺装置の異常の一例に相当する。
【００２９】
Ｓ１でＮｏに進む場合、過電圧検出部７に信号を送りスイッチＴｒ１をオン状態とするためにスイッチＳＷ１をオフに切り替え、スイッチＳＷ１をオフ状態、スイッチＳＷ２をオン状態、スイッチＳＷ３をオフ状態に設定する（Ｓ３）。この設定時をフェーズ２としたとき、例えばフェーズ２の動作により過電圧検出部７には、キャパシタ９０の過電圧を判定するための閾値である上述の所定閾値よりも高い電圧が入力され、過電圧検出部７が正常な状態にあれば過電圧検出部７からオン信号が出力されるため、スイッチＴｒ１はオン状態となる。
【００３０】
そして、スイッチＳＷ３をオン状態に切り替え、スイッチＳＷ２をオフ状態に切り替え、スイッチＳＷ１をオフ状態、スイッチＳＷ２をオフ状態、スイッチＳＷ３をオン状態に設定する。そして、この設定時をフェーズ３としたとき、フェーズ３において、入力ポートＡＤ１，ＡＤ２の電位差が所定電位差範囲内であり且ついずれも正常な電位範囲（図２の例では４Ｖ付近の電位範囲）に収まっているか否かを判断する（Ｓ４）。Ｓ４において、入力ポートＡＤ１，ＡＤ２の電位差が所定電位差範囲内であり且ついずれの電位も正常な電位範囲に収まっていると判断される場合には、Ｓ４にてＹｅｓに進み、正常と診断する（Ｓ５）
【００３１】
Ｓ４において、入力ポートＡＤ１，ＡＤ２の電位差が所定電位差範囲外であると判断される場合、又は、入力ポートＡＤ１，ＡＤ２のいずれかの電位が正常な電位範囲を外れる場合には、Ｓ４にてＮｏに進む。そして、Ｓ６において、入力ポートＡＤ１，ＡＤ２の電位差が所定電位差範囲内であり且ついずれの電位も上記正常な電位範囲よりも低い第１の低電位範囲（図２の例では２Ｖ付近の電位範囲）に収まっているか否かを判断する。Ｓ６において、入力ポートＡＤ１，ＡＤ２の電位差が所定電位差範囲内であり且ついずれの電位も第１の低電位範囲に収まっていると判断される場合には、Ｓ６にてＹｅｓに進み、充放電コントローラ４の故障と診断する（Ｓ７）。Ｓ７では、具体的にはスイッチＳＷ３のオープン故障が生じていると診断する。スイッチＳＷ３のオープン故障は、キャパシタ９０の周辺装置の異常の一例に相当する。
【００３２】
Ｓ６において、入力ポートＡＤ１，ＡＤ２の電位差が所定電位差範囲外であると判断される場合、又は、入力ポートＡＤ１，ＡＤ２のいずれかの電位が第１の低電位範囲を外れる場合には、Ｓ６にてＮｏに進む。そして、Ｓ８において、入力ポートＡＤ１，ＡＤ２の電位差が所定電位差範囲内であり且ついずれの電位も上記第１の低電位範囲よりも低い第２の低電位範囲（図２の例では０Ｖ付近の電位範囲）であるか否かを判断する。Ｓ８において、入力ポートＡＤ１，ＡＤ２の電位差が所定電位差範囲内であり且ついずれの電位も第２の低電位範囲であると判断される場合には、Ｓ８にてＹｅｓに進み、充放電コントローラ４の故障と診断する（Ｓ９）。Ｓ９では、具体的にはスイッチＳＷ１のショート故障が生じていると診断する。スイッチＳＷ１のショート故障は、キャパシタ９０の周辺装置の異常の一例に相当する。
【００３３】
Ｓ８において、入力ポートＡＤ１，ＡＤ２の電位差が所定電位差範囲外であると判断される場合、又は、入力ポートＡＤ１，ＡＤ２のいずれかの電位が第２の低電位範囲を外れる場合には、Ｓ８にてＮｏに進む。そして、Ｓ１０において、入力ポートＡＤ１，ＡＤ２の電位差が所定電位差範囲（図２の例では電位差が０．５Ｖの範囲）内であるか否かを判断する。Ｓ１０において、入力ポートＡＤ１，ＡＤ２の電位差が所定電位差範囲外であると判断される場合には、Ｓ１０にてＹｅｓに進み、スイッチＴｒ１が正常に切り替わっていないものとして過電圧検出部７の故障と診断する（Ｓ１２）。そうでない場合には、Ｓ１０にてＮｏに進み、正常と診断する（Ｓ１１）。このように診断部に相当する制御回路３は、状態切替回路９の指示に応じて切替部５が第２の切替動作を行っているときのサーミスタＲｔｈ（抵抗部）の両端の電位差が所定の閾値（図２の例では電位差０．５Ｖ）を超える場合に過電圧検出部７の故障と診断する。過電圧検出部７の故障は、キャパシタ９０の周辺装置の異常の一例に相当する。
【００３４】
また、図２の異常診断処理では、診断部に相当する制御回路３は、状態切替回路９の指示に応じて切替部５が第２の切替動作を行っているときのサーミスタＲｔｈ（抵抗部）の両端の電位差が所定値以下であり且つサーミスタＲｔｈ（抵抗部）の少なくとも一端の電位が所定の正常範囲を外れる場合（Ｓ７、Ｓ９の場合）に過電圧検出部７（過電圧検出回路）以外の部分の異常と診断する。具体的には、状態切替回路９の異常と診断する。状態切替回路９の異常は、キャパシタ９０の周辺装置の異常の一例に相当する。
【００３５】
以上のように、異常診断装置１は、キャパシタ９０（蓄電部）に所定の異常が発生していないときに過電圧検出部７（第１動作部）が切替部５に対して第１の切替動作の指示を与えるため、このときには第１信号線１１及び第２信号線１２の電位は第１の設定状態となる。一方、キャパシタ９０に所定の異常が発生したときには、過電圧検出部７が切替部５に対して第２の切替動作の指示を与えるため、このときには第１信号線１１及び第２信号線１２の電位は第２の設定状態となる。そして、検出部が第１信号線１１及び第２信号線１２の電位を反映した値を検出するため、検出部の検出結果を利用すればキャパシタ９０に異常が発生しているか否かを判定できるようになる。
【００３６】
このような構成を前提とし、更に、状態切替回路９（第２動作部）と診断部とが設けられている。状態切替回路９は切替部５に第２の切替動作を強制的に行わせ、診断部は状態切替回路９が切替部５に第２の切替動作を行わせているときの検出部による検出結果に基づいてキャパシタ９０の周辺装置の異常を診断する。状態切替回路９が切替部５に第２の切替動作を強制的に行わせた場合、回路が正常に動作すれば、検出部には第２の設定状態に対応する値が入力されるはずである。よって、状態切替回路９が切替部５に第２の切替動作を強制的に行わせているときの検出部の検出結果を利用し、診断部によって診断を行えば、キャパシタ９０の異常検出に支障がある異常（周辺装置の異常）が発生しているか否かをより正確に診断することができる。
【００３７】
異常診断装置１は、キャパシタ９０（蓄電部）の温度に応じて抵抗値が変化するサーミスタＲｔｈ（抵抗部）を備えており、複数の信号線として、サーミスタＲｔｈの一端に接続された第１信号線１１とサーミスタＲｔｈの他端に接続された第２信号線１２とが設けられている。そして、切替部５は、第１の切替動作によりサーミスタＲｔｈの両端の電位を第１の設定状態に切り替え、第２の切替動作によりサーミスタＲｔｈの両端の電位を第２の設定状態に切り替える構成であり、検出部は、少なくとも第１信号線１１及び第２信号線１２の電位を反映した値を検出する構成である。診断部は、状態切替回路９（第２動作部）の指示に応じて切替部５が第２の切替動作を行っているときに検出部によって検出される第１信号線１１及び第２信号線１２の電位を反映した値に基づいてキャパシタ９０の周辺装置の異常を診断する構成である。この構成によれば、検出部の検出結果に基づいてキャパシタ９０の温度を把握することができ、且つ、キャパシタ９０の温度検出に用いる第１信号線１１及び第２信号線１２を利用してキャパシタ９０の異常を伝達することができるようになる。よって、キャパシタ９０の異常を検出し得る装置をより簡易な構成で実現することができる。そして、このような構成においてキャパシタ９０の異常検出に支障がある異常（周辺装置の異常）が発生しているか否かをより正確に診断することができる。
【００３８】
異常診断装置１において、切替部５は、サーミスタＲｔｈ（抵抗部）と並列に接続された並列導電路１４と、第１の切替動作として並列導電路１４の導通を遮断するオフ動作を行い第２の切替動作として並列導電路１４を導通させるオン動作を行うスイッチＴｒ１とを備える。この構成によれば、キャパシタ９０の温度検出に用いる第１信号線１１及び第２信号線１２を利用してキャパシタ９０の異常を伝達する回路をより簡易に実現することができる。
【００３９】
異常診断装置１において、診断部は、状態切替回路９（第２動作部）の指示に応じて切替部５が第２の切替動作を行っているときのサーミスタＲｔｈ（抵抗部）の両端の電位差が所定の閾値を超える場合に過電圧検出部７の異常と診断する構成である。状態切替回路９の指示に応じて切替部５が第２の切替動作を行っているときには、回路が正常であれば並列導電路１４が導通するため、サーミスタＲｔｈ（抵抗部）の両端の電位差は小さくなるはずである。よって、このときのサーミスタＲｔｈ（抵抗部）の両端の電位差が所定の閾値を超える場合に過電圧検出部７の異常と診断すれば、過電圧検出部７の異常をより正確に検出することができる。
【００４０】
異常診断装置１において、診断部は、状態切替回路９（第２動作部）の指示に応じて切替部５が第２の切替動作を行っているときのサーミスタＲｔｈ（抵抗部）の両端の電位差が所定値以下であり且つサーミスタＲｔｈの少なくとも一端の電位が所定の正常範囲を外れる場合に過電圧検出部７以外の部分の異常と診断する構成である。状態切替回路９の指示に応じて切替部５が第２の切替動作を行っているときには、回路が正常であれば並列導電路１４が導通するため、サーミスタＲｔｈの両端の電位差は小さくなるはずである。よって、このときのサーミスタＲｔｈの両端の電位差が所定値以下である場合、切替部５が正常に動作して並列導電路１４が導通している可能性が高い。このようなときにサーミスタＲｔｈの少なくとも一端の電位が所定の正常範囲を外れる場合、その検出の異常は切替部５に指示を与える部分（過電圧検出部７）に起因する可能性は低く、過電圧検出部７以外の部分によって生じている可能性が高い。よって、このような場合に過電圧検出部７以外の部分の異常と診断すれば、異常部分をより適切に絞り込むことができる。
【００４１】
＜他の実施例＞
本発明は上記記述及び図面によって説明した実施例に限定されるものではなく、例えば次のような実施例も本発明の技術的範囲に含まれる。
（１）実施例１では、複数の信号線の例として、第１信号線１１及び第２信号線１２を例示したが、制御回路３が電位を検出する信号線は１つのみであってもよく、３以上であってもよい。信号線が１つである例としては、例えば、信号線１１及び信号線１２を直接制御回路３に入力せず、信号線１１と信号線１２の電位差が一定値以上である場合に制御回路３にＨレベルの信号を出力し、信号線１１と信号線１２の電位差が一定値未満である場合に制御回路３にＬレベルの信号を出力するような比較回路を設け、その出力線を信号線とする例などが挙げられる。信号線が３以上である例としては、例えば、図１の構成に加え、信号線１８の電位を制御回路３で検出し得るような構成とした例が挙げられる。
（２）実施例１では、サーミスタＲｔｈを用いて温度検出を行い得る構成としたが、サーミスタＲｔｈ以外の温度検出素子を用いてもよい。或いは、サーミスタＲｔｈを抵抗に代え、温度検出を行わない構成としてもよい。
（３）実施例１で用いた切替部５は、並列導電路１４にスイッチＴｒ１のみが介在したが、切替部は、並列導電路が導通状態と非導通状態に切り替えられる構成であればよく、例えば図１で示す並列導電路１４においてスイッチＴｒ１と抵抗値の低い抵抗とが直列に接続されていてもよい。
（４）実施例１では、キャパシタ９０で生じる所定の異常として過電圧検出部７が所定部位の過電圧を検出する構成を例示したが、キャパシタ９０の所定部位の過電流を検出する過電流検出部を設け、キャパシタ９０において所定の電流閾値を超える過電流が発生している場合に、スイッチＴｒ１をオン状態に切り替える信号を出力し、過電流が発生していない場合に、スイッチＴｒ１をオフ状態に切り替える信号を出力する構成であってもよい。
（５）過電圧検出部７は、特開２０１５−１５７９９で開示されるような過電圧検出器を備えた構成とし、キャパシタ９０を構成するキャパシタセル毎にこの過電圧検出器を設けた構成としてもよい。この場合、過電圧検出器は、対応するキャパシタセルからの出力電圧が閾値電圧以下である場合にはオフ信号（Ｌレベル信号）を出力し、閾値電圧よりも大きい場合にはオン信号（Ｈレベル信号）を出力するとともに対応するキャパシタセルを放電させることによってキャパシタセルの出力電圧を低下させる構成であってもよい。この場合、過電圧検出部７は、特開２０１５−１５７９９の技術と同様、各キャパシタセルに対応付けられた過電圧検出器の少なくともいずれかからオン信号（異常信号であるＨレベル信号）が出力された場合に、スイッチＴｒ１をオン状態に切り替える信号を出力し、各キャパシタセルに対応付けられた過電圧検出器のいずれかからもオン信号（異常信号であるＨレベル信号）が出力されていない場合に、スイッチＴｒ１をオフ状態に切り替える信号を出力する構成であってもよい。
【符号の説明】
【００４２】
１…異常診断装置
３…マイクロコンピュータ（検出部、診断部）
５…切替部
７…過電圧検出回路（第１動作部、蓄電部の周辺装置）
９…状態切替回路（第２動作部、蓄電部の周辺装置）
１１…第１信号線
１２…第２信号線
１４…並列導電路
Ｒｔｈ…サーミスタ（抵抗部）
Ｔｒ１…スイッチ
９０…キャパシタ（蓄電部）
【図１】
2017184425.tif 000003
【図２】
2017184425.tif 000004
【図３】
2017184425.tif 000005